(57)【特許請求の範囲】
【請求項１】
水溶性の誘引剤を下層に、この下層の上に多孔体又は脱脂前のコットンに油脂性の捕獲剤を含浸させた上層からなる二層構造を内部に配したことを特徴とする飛翔昆虫用捕獲器。
【請求項２】
前記誘引剤が醸造酢、醸造酒、糖類、果汁のうち少なくとも１種以上であることを特徴とする請求項１記載の飛翔昆虫用捕獲器。
【請求項３】
前記誘引剤が醸造酢であるワインビネガー、リンゴ酢、バルサミコ酢の果実酢のうち少なくとも１種以上であることを特徴とする請求項２記載の飛翔昆虫用捕獲器。
【請求項４】
前記捕獲剤が植物性油脂、動物性油脂、石油類のうち少なくとも１種以上であることを特徴とする請求項１〜３のいずれか１項記載の飛翔昆虫用捕獲器。
【請求項５】
前記捕獲剤が植物性油脂である半乾性油、不乾性油のうち少なくとも１種以上であることを特徴とする請求項４記載の飛翔昆虫用捕獲器。
【請求項６】
前記誘引剤は、親水性又は水溶性の素材に含浸又は膨潤させ、前記捕獲剤は、親油性の素材に含浸させたことを特徴とする請求項１〜５のいずれか１項記載の飛翔昆虫用捕獲器。
【発明の詳細な説明】
【０００１】
【発明の属する技術分野】
本願発明は、水溶性の誘引剤及び油脂である捕獲剤を用いた飛翔昆虫用捕獲器に関する。
【０００２】
【従来の技術】
従来、イエバエ、ショウジョウバエ、アカイエカなどの飛翔昆虫が屋内に侵入した場合の駆除方法としてエアゾール剤、蚊取り線香、マット式又は液体式の電気蚊取り器などが使われてきた。
しかし、いずれも殺虫成分を含み、その噴霧粒子あるいは揮散粒子を体内に吸い込むことに安全性の面から使用者は不安を抱いていた。また、エアゾール剤では、噴霧後に床や壁に残る溶剤のべたつきに、蚊取り線香では、発生する煙による鼻や喉の不快感に使用者は不満を抱いていた。
【０００３】
殺虫剤を用いない方法では、ハエ取りリボンがよく知られているが、積極的に誘引する効果がないため捕殺効果は非効率的で、また、捕獲されたハエが視覚的に不快感を与えた。さらに、粘着面が手や体に触れないように取り付け、取り外しを行わなければならないという使用上の難点もあった。
また、古くから瓶や容器に水や飛翔昆虫が好みそうな誘引物を混ぜた水を入れ、飛翔昆虫を誘引溺死させる方法が行われているが、効果が不確かで、中の液が蒸発すれば効果を失うため持続性が乏しく、また、容器をひっくり返せば中の液がこぼれるなど欠点が多かった。
【０００４】
【発明が解決しようとする課題】
本願発明は、従来技術に鑑みてなされたものであり、使用者に不快感を与えず、取り扱いが簡便で、安全性が高く、捕獲効果の高いかつ捕獲効果の持続性に優れた安価な飛翔昆虫用捕獲器を提供することを目的とする。
【０００５】
【課題を解決するための手段】
前記目的を達成するために、請求項１に係る発明は、水溶性の誘引剤を下層に、この下層の上に多孔体又は脱脂前のコットンに油脂性の捕獲剤を含浸させた上層からなる二層構造を内部に配した飛翔昆虫用捕獲器である。
【０００６】
請求項１に係る発明によれば、使用者に不快感を与えず、取り扱いが簡便で、安全性が高く、捕獲効果が高い。しかも、誘引剤で形成される誘引層である下層の上に、油脂性の捕獲剤を含浸させた上層があるので、誘引剤が蒸散しにくく、誘引剤の効果が持続し、捕獲効果の持続性もよい。
【０００９】
前記目的を達成するために、請求項２に係る発明は、前記誘引剤が醸造酢、醸造酒、糖類、果汁のうち少なくとも１種以上である飛翔昆虫用捕獲器である。
【００１０】
前記目的を達成するために、請求項３に係る発明は、前記誘引剤が醸造酢であるワインビネガー、リンゴ酢、バルサミコ酢の果実酢のうち少なくとも１種以上である飛翔昆虫用捕獲器である。
【００１１】
請求項２及び３に係る発明によれば、飛翔昆虫の誘引効果が良い。
【００１２】
前記目的を達成するために、請求項４に係る発明は、捕獲剤が植物性油脂、動物性油脂、石油類のうち少なくとも１種以上である飛翔昆虫用捕獲器である。
【００１３】
前記目的を達成するために、請求項５に係る発明は、前記捕獲剤が植物性油脂である半乾性油、不乾性油のうち少なくとも１種以上である飛翔昆虫用捕獲器である。
【００１４】
請求項４及び５に係る発明によれば、前記捕獲剤が植物性油脂である半乾性油、不乾性油のうち少なくとも１種以上であるので、持続性の点で優れる。
【００１５】
前記目的を達成するために、請求項６に係る発明は、前記誘引剤は親水性又は水溶性の素材に含浸又は膨潤させ、前記捕獲剤は親油性の素材に含浸させた飛翔昆虫用捕獲器である。
【００１６】
請求項６に係る発明によれば、誘引剤は、親水性又は水溶性の素材に含浸又は膨潤させ、捕獲剤は親油性の素材に含浸させることにより、誘引剤及び捕獲剤の取り扱いが簡便である。
【００１７】
【発明の実施の形態】
図１は、本願発明である飛翔昆虫用捕獲器１の第１実施形態の斜視図であり、図２は、第１実施形態の正面断面図である。
逆円錐台本体（側面）８に、侵入孔７を設けた蓋６を被せ、該本体８の底面９に誘引剤４で形成された誘引層（親水層）５を設け、その誘引層５の上部に捕獲剤２で形成された捕獲層（親油層）３を設けたものである。
飛翔昆虫は、誘引層５に誘われ、侵入孔７から該本体８の中に侵入し、捕獲層３に止まる。
捕獲層３に止まった飛翔昆虫は、体に油がまとまりつき羽ばたきができなくなり、飛翔昆虫用捕獲器側面を登ることができなくなる。そのうちに皮膚呼吸ができなくなり窒息死してしまう。
【００１８】
図３は、本願発明である飛翔昆虫用捕獲器１の第２実施形態の斜視図であり、円筒体本体８の側面に侵入孔７を設けたものである。
該本体８の底面９に誘引剤４で形成された誘引層（親水層）５を設け、その誘引層５の上部に捕獲剤２で形成された捕獲層（親油層）３を設ける。
図４は、蓋６及び本体８に侵入孔７を設けたものである。
【００１９】
図５及び図６は、該本体８下方部に誘引層５を設け、該誘引層５の上側部に捕獲層３を設けたものであり、そして、該本体８上方部及び蓋６に飛翔昆虫が侵入する侵入孔７を設ける。
【００２０】
図７は、蓋のない長方体からなる飛翔昆虫用捕獲器１の斜視図であり、その底面９に誘引層５を設け、誘引層５の上部に捕獲層３を設けたものである。
図８は、蓋のない円筒体からなる飛翔昆虫用捕獲器１の斜視図であり、その底面９に誘引層５を設け、誘引層５の上部に捕獲層３を設けたものである。
【００２１】
誘引剤４としては、醸造酢、醸造酒、糖類、果汁、植物精油が挙げられる。
醸造酢としては、ブドウ酢、ワインビネガー、バルサミコ酢、リンゴ酢、すだち酢、ポン酢などの果実酢や米酢、玄米酢、粕酢、大豆酢などの穀物酢が挙げられる。
醸造酒としては、ブドウ酒、リンゴ酒、ウメ酒、日本酒、ビールなどが挙げられる。
【００２２】
糖類としては、上白糖、グラニュー糖、白双糖（しろざらとう）、三温糖、中双糖（ちゅうざらとう）、液糖、黒砂糖などの砂糖類、糖蜜類、果糖、ブドウ糖などの単糖類、オリゴ糖類、多糖類が挙げられる。
果汁としては、リンゴ果汁、レモン果汁、オレンジ果汁、ブドウ果汁、パイナップル果汁などが挙げられる。
このうちの醸造酢では、特に、ワインビネガー、バルサミコ酢、リンゴ酢などの果実酢の誘引効果が高かった。
【００２３】
捕獲剤２としては、植物性油脂、動物性油脂、石油類が挙げられる。
植物性油脂としては、アマニ油、エノ油、キリ油などの乾性油、ゴマ油、ナタネ油、棉実油、ダイズ油などの半乾性油、落花生油、ツバキ油、オリーブ油、ヒマシ油などの不乾性油が挙げられるが、持続性の面から特に半乾性油及び不乾性油が優れている。
動物性油脂としては、魚油、鯨油のような水産動物性油脂と牛脂、豚脂、羊脂、牛脚脂のような陸産動物性油脂が挙げられる。
石油類としては、灯油、軽油、各種潤滑油類が挙げられる。
【００２４】
上記誘引剤を含浸させる親水性の素材としては、吸水性高分子をパルプではさんだシート状構造物の他に、水溶性合成高分子や水溶性多糖類が挙げられ、油系の液体をはじき水系の液体のみを含浸させる。このうち水溶性合成高分子としては、ポリビニルアルコール、ポリエチレンオキサイド、ポリプロピレンオキサイド、酢酸ビニル等が挙げられる。水溶性多糖類としては、アラビアガム、カラギーナン、カルボキシメチルセルロース、グアーガム、ローカストビーンガム、メチルセルロース等が挙げられる。
【００２５】
上記捕獲剤を含浸させる親油性の素材としては、ポリプロピレン、ポリエチレン等の親油性の材質でつくられた多孔体（有機合成物系）やセラミックでつくられた多孔体（無機系）及び綿花から得られた脱脂前のコットン（天然物系）の素材が挙げられ、シート状、円盤状、円柱状に加工して用いる。
【００２６】
【実施例１】
容器：蓋６（透明緑色、ポリプロピレン製、直径0.8cmの侵入孔を７ヶ所設ける）
本体８（白色、ポリプロピレン製）
サイズ：天面直径７．５ｃｍ、底面直径５．７ｃｍ、高さ３．９ｃｍ
第１実施例品
捕獲層（親油層）３の素材：コットンシート
誘引層（親水層）５の素材：高分子吸収シート
誘引剤：ワインビネガー  ３０ｇ
捕獲剤：落花生油  ９ｇ
【００２７】
昆虫飼育室に、第１実施例品と第１比較例品を置き、経時的に捕獲虫数を観察した。結果を表1に示した。
【００２８】
【表１】
0004790139.tif 000002
【００２９】
第１実施例品の効果が持続したのは、捕獲層（親油層）のシートが誘引剤の蒸散を抑えたためと考えられる。
また、ゴマ油及び落花生油のみを入れたトラップで試験したところ、1日経過後に、
ゴマ油      クロツヤショウジョウバエ７匹、イエバエ１匹
落花生油    クロツヤショウジョウバエ５匹
が捕獲された。このことから油脂自体にも若干の誘引性があると考えられた。これら２つの要因により効果の持続が第１比較例品よりも高いのだと考えられる。
【００３０】
【実施例２】
試験場所：１２．５ｍ２（約７畳）の恒温室（室温２５℃）
供試虫：キイロショウジョウバエ／毎日２０個体を室内に放飼した。
試験方法：試験室内の窓際に供試剤を３０ｃｍ間隔で併置し、２４時間毎に捕獲虫数をカウントした。試験は２反復とした。
第２実施例品
誘引剤：リンゴ酢  ３０ｇ
捕獲剤：落花生油    １ｇ
誘引剤含浸剤：カルボキシメチルセルロース（ＣＭＣ）  ３ｇ
カルボキシメチルセルロースは、誘引剤と混ぜてゲル化させ誘引層を形成する。
試験結果
【００３１】
【表２】
0004790139.tif 000003
【００３２】
誘引剤が醸造酢であるリンゴ酢は飛翔昆虫を第１比較例品より誘引した。
【００３３】
【発明の効果】
誘引剤が捕獲剤で形成される層を通り、空気中に蒸散し、ハエ等の飛翔昆虫を誘引する。誘引された虫が侵入孔を通り容器内に入る。誘引層の上部に捕獲層があるため虫は捕獲層にとまる。油脂分である捕獲層にとまったハエは、体に油がまとわりつき羽ばたきができなくなり、容器側面を登ることができなくなる。そのうちに皮膚呼吸ができなくなり窒息死してしまう。
【図面の簡単な説明】
【図１】本願発明の第１実施形態である飛翔昆虫用捕獲器の斜視図である。
【図２】第１実施形態である飛翔昆虫用捕獲器の正面断面図である。
【図３】本願発明の第２実施形態である飛翔昆虫用捕獲器の斜視図である。
【図４】本願発明の第３実施形態である飛翔昆虫用捕獲器の斜視図である。
【図５】本願発明の第４実施形態である飛翔昆虫用捕獲器の斜視図である。
【図６】第４実施形態である飛翔昆虫用捕獲器正面断面図である。
【図７】本願発明の第５実施形態である飛翔昆虫用捕獲器の斜視図である。
【図８】本願発明の第６実施形態である飛翔昆虫用捕獲器の斜視図である。
【符号の説明】
１…飛翔昆虫用捕獲器、２…捕獲剤、３…捕獲層（親油層）、４…誘引剤、５…誘引層（親水層）、６…蓋、７…侵入孔、８…本体、９…底面。
【図１】
0004790139.tif 000004
【図２】
0004790139.tif 000005
【図３】
0004790139.tif 000006
【図４】
0004790139.tif 000007
【図５】
0004790139.tif 000008
【図６】
0004790139.tif 000009
【図７】
0004790139.tif 000010
【図８】
0004790139.tif 000011